(57)【要約】      （修正有）【課題】身近に置いて簡単に排尿が出来、後始末にも手がかからず、長時間使用も可能な、室内に置いても違和感のない男性用尿瓶収納箱を提供する。【解決手段】尿瓶ホルダー８に、操作バー６と軸タボを固定させ、収納箱側板２に設けたタボ受具で軸タボを支持させ、使用時は操作バ６ーを引くだけで、尿瓶ホルダー８が斜め前に傾き、前面開口部上板４を押し開き、尿瓶７がせり出し、排尿可能となる。使用後は前面開口部板４を上に戻せば、尿瓶ホルダー８は中に収まり、尿器とは見えない体裁であり、長時間使用を可能にする交換用尿瓶収納スペースも有する。【選択図】図２
0003171743.tif 000002
【実用新案登録請求の範囲】
【請求項１】
尿瓶ホルダーと該ホルダーに連結した操作バーと開閉自在な前面開口部板からなる男性用尿瓶収納箱であって、
操作バーを動かして該ホルダーを斜め前に傾かせ、該ホルダーが前面開口部板を押し開き、尿瓶がせり出し、前面開口部板を上に戻せば、該板が該ホルダーを押し戻して元の位置に収納されることを特徴とする男性用尿瓶収納箱。
【考案の詳細な説明】
【技術の分野】
【０００１】
本考案は、尿瓶ホルダーを内蔵した男性用尿瓶収納箱に関するものである。
【背景技術】
【０００２】
従来尿瓶は、病人や病弱な人が使用するものと考えられ、病室や寝室の隅に  人目に付かない所に隠すように置かれ、使用後の始末は介護人がしていた。    元気ではあるが、室内で用を足したい人は、高齢化が進む中増加しているのだが、対象となる尿瓶はあっても、使用時使用後の利便性及び室内設置時における体裁は、満足のいくものではなかった。
【先行技術文献】
【特許文献】
【０００３】
【特許文献１】特開２００７−２７５５２２  公報
【考案の概要】
【考案が解決しようとする課題】
【０００４】
中高年の男性の中には、元気ではあるが、排尿の間隔が短くなり昼夜何度もトイレに立つ人や、冬季暖かい部屋から室温の低いトイレに行くことを出来るだけ避けたい高血圧や心疾患等の持病を持つ人にとっては、室内で用を足したいと考える人は多いが、尿器をそのまま室内に置くことや、他人の手を煩わせることに違和感を持ち躊躇する人がいる。
本考案は、室内で使用でき、使用後の尿瓶の処理も簡単にでき、尿器とは分からない体裁の男性用尿瓶収納箱を提供する。
【課題を解決する手段】
【０００５】
本考案は、尿瓶ホルダーに連結した操作バーが天板の外側に突き出ており、この操作バーを前に倒せば、尿瓶を収めたホルダーが前に傾き、前面開口部上板を押し開いて、尿瓶がせり出し、すぐに排尿が出来る。
【０００６】
使用後は前面開口部上板を上に戻せば、前面開口部上板は閉まり、前面開口部上板に押された尿瓶ホルダーは収納箱の中に収まる。
【０００７】
長時間の使用を可能にするため収納箱後部に交換用尿瓶及び使用済み尿瓶収納スペースを有し、室内に置いても、尿器とは気づかれない体裁を持つ男性用尿瓶収納箱である。
【考案の効果】
【０００８】
尿器とは気づかれない体裁の尿瓶収納箱は、設置場所を選ばず、何時も身近に置いておけるし、交換用尿瓶収納スペースを有することにより、長時間の使用を可能にし、尿意を催せば、操作バーを動かすだけで簡単に使用出来るので、トイレに行くことに悩みや不安を感じている人だけではなく、夜間や冬場のトイレに行くのが億劫と感じている人にも使用可能である。
【図面の簡単な説明】
【０００９】
【図１】尿瓶収納箱の使用前の斜視図である。
【図２】尿瓶収納箱の使用時の斜視図である。
【図３】収納箱の展開図である。
【図４】尿瓶ホルダーである。
【図５】尿瓶ホルダーの展開図である。
【図６】尿瓶収納箱の後方からの斜視図である。
【考案を実施するための形態】
【００１０】
収納箱と尿瓶を交換出来る尿瓶ホルダーとで構成されており、尿瓶ホルダーには、軸タボとバーが固定されており、バーは収納箱の天板から、突出させ使用時の操作バーとし、軸タボは左右の側板の軸タボ受具により支持させる。収納箱は、前後に開口部を有し、前面開口部は開閉自在な上板と下板から成り、丁番で連結されている。
【００１１】
天板上の操作バーを手前に引けば尿瓶ホルダーは斜め前に傾き、前面上板を押し開き、尿瓶をせり出させる。排尿後は前面上板を上に戻せば、尿瓶ホルダーは押されて収納箱の中に収まり、前面上板と側板に取り付けたキャッチャーにより、前面上板はきちんと閉まる。
【００１２】
収納箱後部内側には、交換用尿瓶及び使用済み尿瓶収納スペースがあり、背板上と背板下の間には尿瓶の出し入れ可能な開口部を有する。
【００１３】
以下、添付図面に従って一実施例を説明する。
図１は使用前の男性用尿瓶収納箱であり、天板１には尿瓶ホルダー８に固定された操作バー６を突き出させ、前面には開閉可能な前面上板４と下板５を丁番１８でつないでいる。
【００１４】
図２は、操作バー６を前に引いた使用時のもので、側板（左右）２の内側に、尿瓶ホルダー８に固定された軸タボ１６を支持させる軸タボ受具２０を設ける。軸タボ受具は操作バー６を前に引いた時、前面開口部上板４に尿瓶ホルダー８が当たるように固定し、使用時操作バー６を手前引けば、尿瓶７を装着したホルダー８が斜め前に傾き、前面開口部上板４を押し開き、尿瓶７が前にせり出し、蓋９を取ればすぐに排尿可能になる。
【００１５】
使用後は前面開口部上板４を上に戻せば、押された尿瓶７と尿瓶ホルダーは元の位置に収まり、前面開口部上板４と側板２に取り付けたキャッチャー17により、前面開口部上板４はきちんと閉まり図１の状態になる。
【００１６】
図３は、本考案による尿瓶収納箱の展開図である。使用する材料については特に制限を設ける必要がなく、木材、プラスティック材料、金属材料などを適宜使用することができる。
【００１７】
図４は、尿瓶ホルダーの斜視図である。当該ホルダーを製造した後に、本体左右の側板内側に設けた軸タボ受け具20に落とし込む。
【００１８】
図５は尿瓶ホルダー８の展開図であるが、枠上板12、中板13、下板１４と左右枠板15から成り、左右の枠板15に軸タボを固定し、操作バー６は右枠板に固定する。枠上板12と中板13には尿瓶の大きさに合う空きを作るが、上板１２の方を大きめにすることで、尿瓶の出し入れが容易になる。
【００１９】
図６は、尿瓶収納箱の背面の斜視図であるが、収納箱底板３の後部には仕切り板21を設け、長時間使用を可能にするため交換用尿瓶収納スペースを有し、背板上10と背板下11の間には、尿瓶の出し入れ可能な開口部を設けている。
【００２０】
尿瓶７はホルダー８への出し入れ、排尿後の処理を考えると２〜３回分の尿をためる容量が好適であり、尿漏れや臭気漏れを抑えるため蓋９を付けると良い。尿瓶７に透明容器を用い、さらに目盛を付ければ、日々の健康管理にも活用できる。
【符号の説明】
【００２１】
１    天板
２    側板左右
３    底板
４    前面開口部上板
５    前面下板
６    操作バー
７    尿瓶
８    尿瓶ホルダー
９    尿瓶蓋
10    背板上
11    背板下
12    ホルダー枠上板
13    ホルダー枠中板    
14    ホルダー枠下板
15    ホルダー枠左右板
16    ホルダー軸タボ
17    キャッチャー
18    丁番
19    交換用尿瓶
20    軸タボ受具
21    仕切り板
【図１】
0003171743.tif 000003
【図２】
0003171743.tif 000004
【図３】
0003171743.tif 000005
【図４】
0003171743.tif 000006
【図５】
0003171743.tif 000007
【図６】
0003171743.tif 000008
【手続補正書】
【提出日】平成23年9月12日(2011.9.12)
【手続補正１】
【補正対象書類名】実用新案登録請求の範囲
【補正対象項目名】全文
【補正方法】変更
【補正の内容】
【実用新案登録請求の範囲】
【請求項１】
開閉自在な前面開口部板と空きを設けた天板と側板、背板、底板とからなる収納箱と、操作バーと左右に軸タボを設けた尿瓶ホルダーとから成る男性用尿瓶収納箱であって、
収納箱側板内側に軸タボ受具を設け、尿瓶ホルダー装着時に操作バーを天板より突出させる構造を特徴とする男性用尿瓶収納箱。